(57)【要約】【課題】従来より小型化および軽量化できる帯域通過フィルタを提供する。【解決手段】複数の空洞をそれぞれ形成する複数の空洞内壁５１乃至５６を有する金属性の筐体２と、空洞内に設置される複数の共振器２１乃至２６と、筐体の外部から電磁波を入力し複数の共振器を励振させる入力端子３と、複数の共振器を通過した電磁波を筐体の外部に出力する出力端子４と、を備える帯域通過フィルタ１において、複数の空洞内壁は、隣り合い前後の段を形成する共振器を電磁気的に結合するための開口部６１乃至６５を有しており、スリット７１が形成され開口部に保持される導電性の仕切板６６乃至７０を備えることを特徴とする。【選択図】図１
2010226469.tif 000002
【特許請求の範囲】
【請求項１】
複数の空洞をそれぞれ形成する複数の空洞内壁を有する金属性の筐体と、
前記空洞内に設置される複数の共振器と、
前記筐体の外部から電磁波を入力し前記複数の共振器を励振させる入力端子と、
前記複数の共振器を通過した電磁波を前記筐体の外部に出力する出力端子と、を備える帯域通過フィルタにおいて、
前記複数の空洞内壁は、隣り合い前後の段を形成する共振器を電磁気的に結合するための開口部を有しており、
スリットが形成され前記開口部に保持される導電性の仕切板を備えることを特徴とする帯域通過フィルタ。
【請求項２】
前記共振器は、誘電体により形成された誘電体共振器により構成されることを特徴とする請求項１に記載の帯域通過フィルタ。
【請求項３】
前記共振器は、導電性を有する柱状の金属により形成された半同軸金属共振器により構成されることを特徴とする請求項１に記載の帯域通過フィルタ。
【請求項４】
前記複数の空洞内壁は、前記複数の共振器のうちの少なくとも２以上の共振器を、前記前後の段を形成する共振器とは異なる共振器と電磁気的に結合させるための開口部を有していることを特徴とする請求項１乃至請求項３に記載の帯域通過フィルタ。
【発明の詳細な説明】
【技術分野】
【０００１】
本発明は、不要な周波数帯域の電磁波を抑制する帯域通過フィルタに関するものである。
【背景技術】
【０００２】
従来より、電話、移動体通信、テレビ中継などの通信回線は、マイクロ波を利用しており、これらの通信回線は、電波としてのマイクロ波を送受信するための基地局を備えている。この基地局においては、所望の周波数帯の電波のみを通過させ、不要な周波数帯の電波を除去するための帯域通過フィルタが設置されている。
【０００３】
従来、この種の帯域通過フィルタとして、低損失な特性を有する誘電体共振器を備えたものが知られている（例えば、特許文献１参照）。
【０００４】
この従来の帯域通過フィルタ１０１は、図１１に示すように、導電性の筐体１０２の本体１０２ａおよび蓋部１０２ｂにより形成された閉空間内に設置される複数の誘電体共振器１２１乃至１２６を備えている。これらの誘電体共振器１２１乃至１２６は、筐体の一部を構成する空洞内壁１５１乃至１５６により互いに離隔されており、結合窓１６１乃至１６５を介して電磁気的に結合するようになっている。
【０００５】
また、導電性の筐体１０２には、結合用プローブが接続された入出力端子１０３、１０４が設置されており、筐体１０２の外部から伝搬したマイクロ波は、結合用プローブにより誘電体共振器１２１と磁界結合し、誘電体共振器１２１の内部に電界を発生させ、誘電体共振器１２１を励振するようになっている。
【０００６】
このような構成により、従来の帯域通過フィルタは、誘電体共振器１２１乃至１２６が高いＱ値を有しているので、通過帯域の前後における挿入損失を急激に高めるようになっていた。
【０００７】
ここで、帯域通過フィルタの帯域幅は、隣り合う誘電体共振器間の結合量に応じて変化するようになっており、誘電体共振器間の結合量を小さくするほど帯域幅が狭くなるようになっている。このため、帯域幅を狭くするためには、隣り合う誘電体共振器間の結合窓の断面積を狭くするか、隣り合う誘電体共振器間の距離を長くするようになっていた。
【先行技術文献】
【特許文献】
【０００８】
【特許文献１】特開２００７−２７４５７２号公報
【発明の概要】
【発明が解決しようとする課題】
【０００９】
しかしながら、特許文献１に示す帯域通過フィルタは、金属性のブロックをフライスで加工したり、溶融した金属を金型に充填するダイカスト法により筐体を形成していたため、製作上の限界に起因して、所望の帯域幅によっては結合窓の断面積を十分狭くすることができない場合があった。そのため、帯域通過フィルタの帯域幅を狭めるためには、隣り合う誘電体共振器間の距離を長くする必要が生じ、結果として、帯域通過フィルタが大型化するという問題があった。
【００１０】
本発明は、従来の問題を解決するためになされたもので、従来より小型化および軽量化できる帯域通過フィルタを提供することを目的とする。
【課題を解決するための手段】
【００１１】
本発明の帯域通過フィルタは、複数の空洞をそれぞれ形成する複数の空洞内壁を有する金属性の筐体と、前記空洞内に設置される複数の共振器と、前記筐体の外部から電磁波を入力し前記複数の共振器を励振させる入力端子と、前記複数の共振器を通過した電磁波を前記筐体の外部に出力する出力端子と、を備える帯域通過フィルタにおいて、前記複数の空洞内壁は、隣り合い前後の段を形成する共振器を電磁気的に結合するための開口部を有しており、スリットが形成され前記開口部に保持される導電性の仕切板を備えることを特徴とする。
【００１２】
この構成により、本発明の帯域通過フィルタは、隣り合う共振器をスリットを介して結合させることにより、隣り合う共振器の間隔を広げることなく結合量を小さくすることができる。したがって、従来より小型化および軽量化できる帯域通過フィルタを実現することができる。また、異なるスリットの大きさを有する複数の仕切板を準備することにより、隣り合う共振器の結合量を仕切板の交換のみにより調節することができるので、従来のように金属ブロックを加工することにより結合窓を形成した場合と比較して、結合量の調節が容易になる。
【００１３】
さらに、本発明の帯域通過フィルタは、前記共振器は、誘電体により形成された誘電体共振器により構成されることを特徴とする。
【００１４】
この構成により、本発明の帯域通過フィルタは、複数の共振器がそれぞれ高いＱ値を有する誘電体共振器により構成されるので、小型で軽量でありながら、通過帯域の前後における挿入損失を急激に高めることができる。
【００１５】
さらに、本発明の帯域通過フィルタは、前記共振器は、導電性を有する柱状の金属により形成された半同軸金属共振器により構成されることを特徴とする。
【００１６】
この構成により、本発明の帯域通過フィルタは、複数の共振器がそれぞれ半同軸金属共振器により構成されるので、小型で軽量でありながら低損失の特性を有することができる。
【００１７】
さらに、本発明の帯域通過フィルタは、前記複数の空洞内壁は、前記複数の共振器のうちの少なくとも２以上の共振器を、前記前後の段を形成する共振器とは異なる共振器と電磁気的に結合させるための開口部を有していることを特徴とする。
【００１８】
この構成により、本発明の帯域通過フィルタは、隣り合い前後の段を形成する２つの共振器の結合に加え、前後の段以外の２つの共振器が結合する飛び越し結合を生じさせるので、通過帯域の前後における挿入損失を急激に高めることができ、所望の周波数帯域外の電波を確実に減衰させることができる。また、通過帯域の前後における挿入損失が急激に高まるので、筐体に設置される共振器の数を減少させることができる。
【発明の効果】
【００１９】
本発明は、従来より小型化および軽量化できる帯域通過フィルタを提供することができる。
【図面の簡単な説明】
【００２０】
【図１】本発明の第１の実施の形態における帯域通過フィルタの構成を模式的に示す斜視図である。
【図２】図１の１列目のフィルタ部分における断面図である。
【図３】本発明の第１の実施の形態における仕切板を示す斜視図である。
【図４】本発明の第１の実施の形態における仕切板を示す上面図である。
【図５】本発明の第２の実施の形態における帯域通過フィルタの構成を模式的に示す斜視図である。
【図６】図５の１列目のフィルタ部分における断面図である。
【図７】半同軸金属共振器のその他の形状を示す断面図である。
【図８】本発明の第３の実施の形態における帯域通過フィルタの構成を示す回路図である。
【図９】本発明の第３の実施の形態における帯域通過フィルタの構成を模式的に示す斜視図である。
【図１０】仕切板のその他の形状例を模式的に示す斜視図である。
【図１１】従来の帯域通過フィルタの構成を模式的に示す斜視図である。
【発明を実施するための形態】
【００２１】
以下、本発明の実施の形態の帯域通過フィルタについて、図面を用いて説明する。
【００２２】
（第１の実施の形態）
本発明の第１の実施の形態に係る帯域通過フィルタについて、図１乃至図４を参照して説明する。
【００２３】
本実施の形態に係る帯域通過フィルタ１は、図１に示すように、６段フィルタとして機能するものであり、略直方体の形状を有する金属製の筐体２と、筒状の誘電体によって形成される誘電体共振器２１乃至２６と、誘電体共振器２１に電磁波を入力するための入力端子３と、誘電体共振器２６から電磁波を出力するための出力端子４とを備えている。
【００２４】
筐体２は、筐体本体２ａと、蓋部２ｂとによって構成されている。筐体本体２ａは、複数の円筒形の空洞をそれぞれ形成する複数の空洞内壁５１乃至５６を有している。これらの円筒形の空洞は、蓋部２ｂによって遮蔽されるようになっている。この筐体２は、例えば、導電性のブロックをフライスにより加工したり、溶融した金属を金型に充填するダイカスト法等の製法により形成される。
【００２５】
誘電体共振器２１乃至２６は、複数の空洞内にその空洞内壁５１乃至５６から所定の空間をもってそれぞれ離隔して設置される。本実施の形態においては、空洞内壁５１乃至５６の空洞の半径および深さが互いに等しい場合について説明するが、互いに異なっていてもよい。
【００２６】
ここで、図１に示す誘電体共振器２１乃至２６は、筐体本体２ａに３個ずつ２列に並ぶよう配置される。この配置の場合、筐体２の体積がコンパクトになるとともに、入力端子３および出力端子４を筐体２の同一の側面に設置できて好適であるが、入力端子３および出力端子４の位置はこれに限定されない。なお、これらの誘電体共振器２１乃至２６は、２列以外の配列であってもよく、例えばジグザグ状や１列に並んでいてもよい。
【００２７】
誘電体共振器２１乃至２６は、長手方向が互いに平行となるよう、筐体２の底面２ｃ（図２参照）にねじ止めなど周知の手段により固定されている。また、これらの誘電体共振器２１乃至２６は、低誘電率の支持体３１によってそれぞれ支持されており、誘電体共振器２１乃至２６に励振された電磁波が、空洞内壁５１乃至５６を構成する金属壁によって減衰されないようになっている。誘電体共振器２１乃至２６が設置される筐体２の内面には、これらの誘電体共振器２１乃至２６の無負荷Ｑを高めるために銀メッキなどの処理が施されていてもよい。
【００２８】
筐体本体２ａの空洞内壁５１乃至５６には、隣り合い前後の段を形成する２つの誘電体共振器の間に後述する仕切板を挿入するための開口部６１乃至６５が形成されている。
【００２９】
帯域通過フィルタ１は、誘電体共振器２１乃至２６の共振周波数を調整するための複数の周波数調整ねじ４１乃至４６を蓋部２ｂに有していてもよい。この場合、図２に示すように、各周波数調整ねじの中心軸が、各誘電体共振器の中心軸の延長線とそれぞれ重なるように設置する。周波数調整ねじ４１乃至４６と誘電体共振器２１乃至２６との間隔を調節することによって、誘電体共振器２１乃至２６の共振周波数をそれぞれ変化させることが可能となる。
【００３０】
また、それぞれの誘電体共振器２１乃至２６に対する周波数調整ねじ４１乃至４６が同一方向に設置されるので、帯域通過フィルタ１を小型で軽量にすることができる。
【００３１】
入力端子３は、ループ状の内部導体３ａを有している。入力端子３の内部導体３ａは、空洞内壁５１により形成される空洞内に設けられ、外部回路から伝搬された電磁波を誘電体共振器２１乃至２６に入力するようになっている。
【００３２】
同様に、出力端子４は、空洞内壁５６により形成される空洞内に設けられ、誘電体共振器２１乃至２６を通過した電磁波を外部回路に出力するようになっている。また、出力端子４は、入力端子３と同様にループ状の不図示の内部導体を有している。
【００３３】
帯域通過フィルタ１は、さらに、互いに隣り合い前後の段を形成する２つの誘電体共振器の間に、導電性を有する仕切板６６乃至７０を備えている。なお、以下の説明において、仕切板６６乃至７０を特に区別する必要がない場合には、仕切板６６を例に説明する。
【００３４】
仕切板６６は、図３に示すように、スリット７１が形成されている。このスリット７１は、隣り合う誘電体共振器を結合するための結合窓として機能するようになっている。したがって、スリット７１の形状としては、スリット７１の長手方向と、隣り合う誘電体共振器間に分布する電界の方向とが垂直となるようにすると好適である。
【００３５】
仕切板６６乃至７０は、開口部６１乃至６５にそれぞれ保持されるようになっており、仕切板６６乃至７０は、隣り合う２つの誘電体共振器のそれぞれの中心軸を含む平面に対し、表面が垂直となるように設置される。また、仕切板６６乃至７０には、図４に示すように、ビス穴７２が形成されており、ビス止めにより筐体２の開口部６１乃至６５にそれぞれ固定されている。なお、仕切板６６乃至７０は、溶接あるいははんだ付けなど公知の方法により筐体２の開口部６１乃至６５に固定されるようにしてもよい。また、開口部６１乃至６５に、仕切板６６乃至７０がそれぞれ嵌合される溝部を形成してもよい。
【００３６】
上記のような構成を有する帯域通過フィルタ１に対し、入力端子３を介して外部回路から電磁波が入力されると、誘電体共振器２１に電磁波が励振される。このとき、誘電体共振器２１の直径および空洞内壁５１との距離を調整することにより、誘電体共振器２１にはＴＥ０１δモードが励振される。誘電体共振器２１において励振された電磁波は、仕切板６６のスリット７１を介して、誘電体共振器２２を励振する。この場合、誘電体共振器２１および誘電体共振器２２の周囲には、水平面内において各誘電体共振器２１、２２の円周と略平行となる電界が分布する。したがって、仕切板６６のスリット７１は、長手方向が各誘電体共振器２１、２２の高さ方向と平行となるよう形成されるようにする。同様に、仕切板６７乃至７０のスリット７１も長手方向が誘電体共振器の高さ方向と平行となるよう形成されるようにする。
【００３７】
また、図１においては、開口部６１乃至６５が、仕切板６６乃至７０の両側面及び下面を支持する形状を示しているが、これに限定されず、開口部６１乃至６５が、仕切板６６乃至７０の両側面のみを支持する形状であってもよい。この場合、仕切板６６の底部は、筐体２の底面２ｃに直接支持されることとなる。
【００３８】
以上のような構成を有することにより、本実施の形態に係る帯域通過フィルタ１は、隣り合う誘電体共振器をスリット７１を介して結合させることにより、隣り合う誘電体共振器の間隔を広げることなく結合量を小さくすることができる。したがって、従来より小型化および軽量化できる帯域通過フィルタ１を実現することができる。また、異なるスリットの大きさを有する複数の仕切板を準備することにより、隣り合う誘電体共振器の結合量を仕切板を交換することにより調節することができるので、従来のように金属ブロックを加工することにより結合窓を形成した場合と比較して、結合量の調節が容易になる。
【００３９】
また、本実施の形態に係る帯域通過フィルタ１は、複数の共振器がそれぞれ高いＱ値を有する誘電体共振器により構成されるので、小型で軽量でありながら、通過帯域の前後における挿入損失を急激に高めることができる。
【００４０】
また、筐体２に直接結合窓を形成する必要がないため、筐体に対する複雑な製作工程を必要とせず、製作時間が短縮される。また、仕切板にスリットを形成する工程を筐体の製作と独立して行うことができるため、例えば、金属板にスリットを形成する工程のみで仕切板が製作されることとなり、結果として仕切板の製作時間も短時間ですむ。そして、仕切板をビス止めなどで筐体に容易に設置することが可能であるため、結果として、帯域通過フィルタ全体を製作する時間が短縮されることとなる。
【００４１】
さらには、結合窓として機能するスリットが筐体から独立して仕切板に形成されるので、結合窓の形状を従来より容易に変更することが可能となる。つまり、結合度の調整を仕切板を交換するのみで容易に行うことが可能となる。また、誘電体共振器に励振される電磁波のモードに応じてスリットの長手方向の向きを変更することも容易となるのみならず、後述するように、帯域通過フィルタが半同軸金属共振器など、誘電体共振器以外の共振器を備える場合においても、その共振器に励振される電磁波のモードに応じてスリットの形状を変更することが容易となる。
【００４２】
したがって、筐体をフライスにより加工して結合窓を形成したり、筐体に仕切りとして機能する板を直接溶接する従来の帯域通過フィルタと比較して、スリットの形状に対する自由度を高めることが可能となる。
【００４３】
さらには、開口部の断面積を狭くすれば、開口部に保持される仕切板も小型化できるので、様々な形状のスリットを有する多種の仕切板を準備する場合においても、仕切板を製作するために必要とする材料を削減でき、結果として製作コストを低下することができる。
【００４４】
なお、以上の説明においては、誘電体共振器２１乃至２６が筐体２に形成された複数の円筒形の空洞内にそれぞれ設置される場合について説明した。しかしながら、誘電体共振器２１乃至２６は、円筒形以外の形状を有する空洞内に設置されるようにしてもよい。
【００４５】
この場合、例えば、筐体２に６つの誘電体共振器２１乃至２６が設置される１つの空洞を形成する。そして、６つの誘電体共振器を、スリットが形成された仕切板で適宜仕切るようにする。
【００４６】
なお、上述した実施の形態においては、帯域通過フィルタが誘電体共振器を備える場合について説明したが、これに限定されず、次に説明する第２の実施の形態のように、帯域通過フィルタが半同軸金属共振器を備えるようにしてもよい。
【００４７】
（第２の実施の形態）
本発明の第２の実施の形態に係る帯域通過フィルタについて、図５乃至図７を参照して説明する。
【００４８】
なお、第２の実施の形態に係る帯域通過フィルタ８１の構成は、上述の第１の実施の形態に係る帯域通過フィルタ１の構成とほぼ同様であり、各構成要素については、図１に示した第１の実施の形態と同様の符号を用いて説明し、特に相違点についてのみ詳述する。
【００４９】
本実施の形態に係る帯域通過フィルタ８１は、図５に示すように、６段フィルタとして機能するものであり、略直方体の形状を有する金属製の筐体８２と、筒状の半同軸金属共振器８３乃至８８と、半同軸金属共振器８３に電磁波を入力するための入力端子５と、半同軸金属共振器８８から電磁波を出力するための出力端子６とを備えている。
【００５０】
筐体本体８２ａは、複数の円筒形の空洞をそれぞれ形成する複数の空洞内壁５１乃至５６を有している。これらの円筒形の空洞は、蓋部８２ｂによって遮蔽されるようになっている。本実施の形態における筐体８２も、第１の実施の形態に係る筐体２と同様に、導電性のブロックをフライスにより加工したり、溶融した金属を金型に充填するダイカスト法等の製法により形成されるようになっている。
【００５１】
半同軸金属共振器８３乃至８８は、複数の空洞内にその空洞内壁５１乃至５６から所定の空間をもってそれぞれ離隔して設置される。
【００５２】
半同軸金属共振器８３乃至８８は、例えば、黄銅、真鍮、アルミニウム、またはインバーなどの金属により形成された筒状の共振素子により構成されている。また、半同軸金属共振器８３乃至８８は、無負荷Ｑを高めるために銀メッキなどの処理が施されてもよい。同様に、半同軸金属共振器８３乃至８８が設置される筐体８２の内面にも、これらの半同軸金属共振器８３乃至８８の無負荷Ｑを高めるために銀メッキなどの処理が施されてもよい。
【００５３】
また、図６に示すように、内部導体５ａは、空洞内において半同軸金属共振器８３の長手方向と平行になっている。ここで、内部導体５ａの先端は、グランドとしての筐体８２の底面８２ｃにはんだ付けされていてもよい。あるいは、内部導体５ａの先端は、底面８２ｃと接触せず先端が開放状態となるよう形成されていてもよい。また、内部導体５ａの先端が半同軸金属共振器８３にはんだ付けされるよう構成してもよい。
【００５４】
図５に戻り、筐体本体８２ａの空洞内壁５１乃至５６には、第１の実施の形態における筐体本体２ａと同様に、開口部６１乃至６５が形成されている。
【００５５】
また、帯域通過フィルタ８１は、第１の実施の形態における仕切板６６乃至７０と同様に形成される仕切板７３乃至７７を備えており、これらの仕切板７３乃至７７は、開口部６１乃至６５にそれぞれ保持されるようになっている。また、仕切板７３乃至７７は、図４に示す第１の実施の形態における仕切板６６乃至７０と同様に、ビス止めにより筐体８２の開口部６１乃至６５にそれぞれ固定されている。
【００５６】
半同軸金属共振器８３乃至８８に電磁波が励振されると、半同軸金属共振器８３乃至８８の周囲には、各半同軸金属共振器８３乃至８８の長手方向と略平行となる電界が分布する。したがって、仕切板７３乃至７７のスリット７８は、長手方向が各半同軸金属共振器７３乃至７７の長手方向と垂直となるように形成されると好適である。
【００５７】
以上のように、本実施の形態に係る帯域通過フィルタ８１は、隣り合う半同軸金属共振器をスリット７８を介して結合させることにより、隣り合う半同軸金属共振器の間隔を広げることなく結合量を小さくすることができる。したがって、従来より小型化および軽量化できる帯域通過フィルタ８１を実現することができる。また、本実施の形態に係る帯域通過フィルタ８１は、複数の共振器がそれぞれ半同軸金属共振器により構成されるので、小型で軽量でありながら低損失の特性を有することができる。また、本実施の形態に係る帯域通過フィルタ８１においても、上述した第１の実施の形態に係る帯域通過フィルタ１と同様の効果を得ることができる。
【００５８】
なお、以上の説明においては、半同軸金属共振器８３乃至８８のいずれもが円筒形を有する場合について説明した。しかしながら、半同軸金属共振器が円筒形以外の形状を有していてもよい。
【００５９】
図７は、本発明の半同軸金属共振器のその他の形状例を模式的に示す断面図であり、入力端子３側から１列目の共振器を見た図である。図７に示すように、半同軸金属共振器８９は、ステップ形状を有している。また、半同軸金属共振器は、角柱などの形状を有していてもよい。
【００６０】
なお、上述した実施の形態においては、誘電体共振器２１乃至２６あるいは半同軸金属共振器８３乃至８８が隣り合う２つの共振器、すなわち前後の段同士で結合する場合について説明したが、これに限定されず、次に説明する第３の実施の形態のように、共振器が前後の段以外の共振器とも結合するようにしてもよい。
【００６１】
（第３の実施の形態）
本発明の第３の実施の形態に係る帯域通過フィルタについて、図８および図９を参照して説明する。
【００６２】
なお、第３の実施の形態に係る帯域通過フィルタ９０の構成は、上述の第１の実施の形態に係る帯域通過フィルタ１の構成とほぼ同様であり、各構成要素については、図１に示した第１の実施の形態と同様の符号を用いて説明し、特に相違点についてのみ詳述する。
【００６３】
図８において、誘電体共振器２１乃至２６間の矢印Ａは、これらの誘電体共振器２１乃至２６のうち、互いに前後の段を形成している隣り合う２つの誘電体共振器間における電磁気的な結合を表わしている。
【００６４】
本実施の形態における帯域通過フィルタ９０は、隣り合う誘電体共振器間の仕切板のほかに、誘電体共振器２１と誘電体共振器２６とを電磁気的に結合するためのスリットを有する仕切板など、互いに前後の段を形成していない誘電体共振器間の仕切板を備え、図８に矢印Ｂで示す結合が生じるようになっている。以下、矢印Ｂに示すような互いに前後の段を形成していない共振器間における結合を、飛び越し結合という。
【００６５】
飛び越し結合を構成する誘電体共振器を有する帯域通過フィルタは、通過帯域と遮断帯域との間の遷移領域において、伝送零点を含む伝送特性を有するので、急峻なカット特性を有する帯域通過フィルタとして機能する。また、飛び越し結合が行われる共振器の組および組数を適宜選択することにより、伝送特性が、通過周波数帯に対して高周波数側あるいは低周波数側のみに伝送零点を有することもできる。
【００６６】
飛び越し結合を有する帯域通過フィルタ９０は、図９に示すように、前後の段を構成する２つの誘電体共振器間および飛び越し結合が行われる２つの誘電体共振器間に仕切板９２、９３が設置されるようにする。また、飛び越し結合が行われる２つの誘電体共振器間に設置される仕切板は、前後の段を構成する２つの誘電体共振器間に設置される仕切板とスリットの大きさおよび形状が異なっていてもよく、このスリットの大きさや形状を調節することにより、伝送零点が発生する周波数などの伝送特性を調節することができる。
【００６７】
以上のように、本発明の帯域通過フィルタ９０は、上述した第１の実施の形態に係る誘電体フィルタ１の効果を有するのみならず、隣り合い前後の段を形成する２つの誘電体共振器２１乃至２６の結合に加え、前後の段以外の２つの共振器が結合する飛び越し結合を生じさせるので、伝送零点の形成により通過帯域の前後における挿入損失を急激に高めることができ、所望の周波数帯域外の電波を確実に減衰させることができる。また、通過帯域の前後における挿入損失が急激に高まるので、筐体２に設置される共振器の数を減少させることができる。
【００６８】
なお、以上の説明においては、帯域通過フィルタが誘電体共振器２１乃至２６あるいは半同軸金属共振器８３乃至８８を備える場合について説明したが、これに限定されず、筐体内に誘電体共振器および半同軸金属共振器を備えたり、他の種類の公知の共振器を備える帯域通過フィルタに適用してもよい。この場合、隣り合う２つの共振器の種類に応じて共振器間の電界分布が異なるため、各仕切板に形成されるスリットの長手方向の向きを互いに異ならせる必要が生じる場合もある。従来の帯域通過フィルタにおいては、結合窓の長手方向の向きを互いに異ならせるためには、筐体を製作するための複雑な製作工程が必要となるが、本発明に係るスリットの形成された仕切板を用いることにより、結合窓の長手方向の向きを容易に変更させることが可能となる。
【００６９】
なお、以上の説明においては、帯域通過フィルタ１が６つの誘電体共振器２１乃至２６を備える場合あるいは６つの半同軸金属共振器８３乃至８８を備える場合について説明した。しかしながら、帯域通過フィルタ１は、少なくとも２つの誘電体共振器あるいは少なくとも２つの半同軸金属共振器を備えていればよい。必要とする誘電体共振器の数あるいは半同軸金属共振器の数は、帯域通過フィルタの用途に応じて適宜変更するようにする。
【００７０】
また、以上の説明においては、筐体２内に主として誘電体共振器２１乃至２６あるいは半同軸金属共振器８３乃至８８が設置される場合について説明したが、これに限定されず、筐体２内に増幅回路や変復調回路などフィルタ以外の機能を有する回路が形成されていてもよい。
【００７１】
また、以上の説明においては、仕切板に長方形のスリットが形成される場合について説明した。しかしながら、仕切板には、長方形以外の形状を有するスリットあるいは開口が形成されていてもよい。図１０は、本発明の仕切板のその他の形状例を模式的に示す斜視図である。図１０（ａ）に示すように、仕切板には、十字型のスリットが形成されていてもよい。また、図１０（ｂ）に示すように、仕切板には、円形の開口が形成されていてもよい。つまり、仕切板に形成されるスリットあるいは開口は、２つの共振器間で所望の結合量が得られる限り、いかなる形状であってもよい。
【００７２】
また、帯域通過フィルタは、共振器間の結合度を調整するための結合調整ねじを設置してもよい。結合調整ねじは、誘電体共振器２１乃至２６あるいは半同軸金属共振器８３乃至８８のうち、互いに隣り合う共振器の間に設置される。
【００７３】
この場合、仕切板には、スリットと連通し、長手方向がスリットの長手方向と垂直となる貫通孔が形成されるようにし、結合調整ねじがこの貫通孔に挿入されるようにする。これにより、結合調整ねじは、スリットの長手方向と垂直方向に摺動するようになっており、結合調整ねじの挿入深さに応じてスリットの断面積が調整され、結果として各共振器の結合度が調整されるようになっている。
【００７４】
この結合調整ねじは、所望の挿入深さで固定するための固定部を有した結合度調整棒により構成されていてもよい。また、結合度調整棒の代わりに雄ねじを用い、仕切板に雌ねじを形成することにより、各誘電体共振器２１乃至２６間の結合度がねじ送り機構により調節されるようにしてもよい。
【００７５】
また、以上の説明においては、結合調整ねじが各共振器の間に設置される場合について説明した。しかしながら、結合調整ねじは、必ずしもすべての共振器間に設置される必要はなく、必要に応じて筐体に設置すればよい。
【００７６】
また、以上の説明においては、周波数調整ねじ４１乃至４６が誘電体共振器２１乃至２６あるいは半同軸金属共振器８３乃至８８のそれぞれの上部に設置される場合について説明した。しかしながら、周波数調整ねじは、必ずしもこれらの共振器のすべての上部に設置されていなくてもよい。また、帯域通過フィルタの周波数調整が不要である場合には、筐体に周波数調整ねじを設置しなくてもよい。
【産業上の利用可能性】
【００７７】
以上のように、本発明に係る帯域通過フィルタは、従来より小型化および軽量化できるという効果を有し、不要な周波数帯域の電磁波を抑制する帯域通過フィルタとして有用である。
【符号の説明】
【００７８】
１  帯域通過フィルタ
２  筐体
２ａ  筐体本体
２ｂ  蓋部
２ｃ  底面
３  入力端子
３ａ  内部導体
４  出力端子
５  入力端子
５ａ  内部導体
６  出力端子
２１乃至２６  誘電体共振器
３１  支持体
４１乃至４６  周波数調整ねじ
５１乃至５６  空洞内壁
６１乃至６５  開口部
６６乃至７０  仕切板
７１  スリット
７２  ビス穴
７３乃至７７  仕切板
７８  スリット
８１  帯域通過フィルタ
８２  筐体
８２ｃ  底面
８３乃至８８  半同軸金属共振器
８９  半同軸金属共振器
９０  帯域通過フィルタ
９２、９３  仕切板
【図１】
2010226469.tif 000003
【図２】
2010226469.tif 000004
【図３】
2010226469.tif 000005
【図４】
2010226469.tif 000006
【図５】
2010226469.tif 000007
【図６】
2010226469.tif 000008
【図７】
2010226469.tif 000009
【図８】
2010226469.tif 000010
【図９】
2010226469.tif 000011
【図１０】
2010226469.tif 000012
【図１１】
2010226469.tif 000013